(57)【要約】【課題】格子領域の両側からメイン支持部材の懸架を行うことが可能な懸架装置を提供すること。【解決手段】水平ウェブ１１と垂直ウェブ１２によって包囲された小室１０を備えた格子領域１を有し、挿入部２１を備えたメイン支持部材２を有し、挿入部２１がかぎ状部２１４を有し、該かぎ状部が、水平ウェブ１１へ後ろから係合し、挿入部２１が下側ストッパ部を備え、該下側ストッパ部が、選択された小室１０を上方に画成する水平ウェブ１１において支持されている、対象物のディスプレイのための懸架装置において、かぎ状部２１４から上方へ突出する端面を備えた側部２１１を挿入部２１に設け、下側ストッパ部を側部２１１の下側へ配置し、選択された小室１０において、格子領域１の前側１８から案内されたメイン支持部材２の側部２１１を懸架可能に構成し、後側１９から案内されたメイン支持部材２の側部２１１を懸架可能に構成した。
2013521078.tif 000002
【特許請求の範囲】
【請求項１】
ａ）それぞれ２つの水平ウェブ（１１）と２つの垂直ウェブ（１２）によって包囲されつつシステマティックに配置された複数の小室（１０）を備えた格子領域（１）を有し、前記小室（１０）が前側（１８）と後側（１９）に開放されており、
ｂ）前記小室（１０）のうち選択されたものへの着脱可能な懸架について用いられる少なくとも１つの挿入部（２１，２１’）を備えたメイン支持部材（２，２’）を有し、
ｃ）前記挿入部（２１，２１’）が上側へ傾斜したかぎ状部（２１４，２１４’）を有し、該かぎ状部が、懸架された状態において前記選択された小室（１０）を上方へ画成する前記水平ウェブへ後ろから係合し、
ｄ）前記挿入部（２１，２１’）が下側ストッパ部（２１７，２１７’）を備え、該下側ストッパ部が、懸架された状態において前記選択された小室（１０）を上方に画成する前記水平ウェブ（１１）において支持されている、対象物のディスプレイのための懸架装置において、
ｅ）前記かぎ状部（２１４，２１４’）から上方へ突出する端面（２１２，２１２’）を備えた少なくとも１つの葉状の側部（２１１，２１１’）を前記挿入部（２１，２１’）に設け、
ｆ）前記下側ストッパ部（２１７，２１７’）を前記側部（２１１，２１１’）の下側へ配置し、
ｇ）前記選択された小室（１０）において、前記格子領域（１）の前記前側（１８）から案内された前記メイン支持部材（２，２’）の少なくとも１つの前記側部（２１１，２１１’）を懸架可能に構成し、同時に、前記後側（１９）から案内された前記メイン支持部材（２，２’）の少なくとも１つの前記側部（２１１，２１１’）を懸架可能に構成した
ことを特徴とする懸架装置。
【請求項２】
ａ）上側の凹部（２１３，２１３’）を、少なくとも１つの前記側部（２１１，２１１’）の上縁部に配置し、前記かぎ状部（２１４，２１４’）と境界をなすようにするとともに上側ストッパ部（２１５，２１５’）において終端となるよう構成し、前記上側の凹部（２１３，２１３’）の大きさを、該凹部内で前記前側（１８）と前記後側（１９）の間に位置する前記水平ウェブ（１１）の深さを収容するよう設定し、
ｂ）前記端面（２１２，２１２’）と前記下側ストッパ部（２１７，２１７’）の間に、傾斜及び／又は丸められた下縁部（２１６，２１６’）を配置するか、又は
ｃ）前記端面（２１２，２１２’）の下端部により画成された下側凹部（２１７”）が前記下側ストッパ部（２１７，２１７’）と境界をなすよう構成し、該下側凹部（２１７”）の大きさを、該下側凹部内で前記前側（１８）と前記後側（１９）の間に位置する前記水平ウェブ（１１）の深さを収容するよう設定した
ことを特徴とする請求項１記載の懸架装置。
【請求項３】
ａ）前記メイン支持部材（２）の前記挿入部（２１）を、互いに平行に離間しつつ一致した輪郭を有する２つの前記側部（２１１）を有するよう構成し、該側部を、中央ウェブにより、Ｕ字状かつ一体的に互いに結合させ、
ｂ）前記両側部（２１１）の間に複数方向に開口した中間空間（２１８）を配置した
ことを特徴とする請求項１又は２に記載の懸架装置。
【請求項４】
前記両側部（２１１）のうちいずれかとは反対側の前記中央ウェブ（２１０）の外側と境界をなすよう第２の端部（２０２）を有する支持要素（２０）を配置するとともに、該支持要素（２０）を第１の端部（２０１）まで延在させたことを特徴とする請求項３記載の懸架装置。
【請求項５】
前記選択された小室（１０）へ前記前側（１８）及び前記後側（１９）から懸架されたそれぞれ１つの前記挿入部（２１）が懸架され、
ａ）前記両挿入部（２１）のそれぞれの前記各側部（２１１）を、それぞれ隣接する前記垂直ウェブ（１２）へ接触させるとともに、他の側部（２１１）を、上記各側部（２１１）の内側に接触させ、このとき、対向する前記挿入部（２１）の前記中間空間（２１８）へ突出するよう構成し、
ｂ）前記両メイン支持部材（２）の前記両挿入部（２１）の、フォーク状にずらして互いに係合する４つの前記側部（２１１）により、前記挿入部（２１）を、基本的に側部の隙間を形成することなく前記小室（１０）で収容するよう構成し、
ｃ）前記前側（１８）から懸架された前記メイン支持部材（２）に割り当てられた前記かぎ状部（２１４）の対を、前記小室（１０）を上方へ画成する前記後側（１９）における前記水平ウェブ（１１）へ後ろから係合させ、
ｄ）これと同様に、前記後側（１９）から懸架された前記メイン支持部材（２）に割り当てられた前記かぎ状部（２１４）の対を、前記前側（１８）における同様の前記水平ウェブ（１１）へ後ろから係合させ、
ｅ）前記中央ウェブ（２１０）の内面部を、間隙をあけつつ前記格子領域（１）の前記前側（１８）あるいは前記後側（１９）の手前に配置し、これにより、内側に配置された前記側部（２１１）の前記かぎ状部（２１４）に対する中間空間（２１８）を維持するよう構成した
ことを特徴とする請求項３又は４に記載の懸架装置。
【請求項６】
前記メイン支持部材（２）のみの前記選択された小室（１０）への前側（１８）又は後側（１９）からの懸架に対して、前記側部（２１１）を、前記小室（１０）で懸架された前記挿入部（２１）の側方の間隙を減少させるよう、各外側において突出した挟着部（２１９）を有するよう構成したことを特徴とする請求項３又は４に記載の懸架装置。
【請求項７】
ａ）前記メイン支持部材（２’）を、それぞれ１つのみの側部（２１１’）、靴型状の横方向接続部材（２３’）及び該横方向接続部材から突出した複数の支持要素（２０’）を備えた少なくとも２つの前記挿入部で構成し、
ｂ）前記挿入部（２１’）を、直接又は該挿入部に接続された延長部（２２’）により、前記横方向部材（２３’）の側面部と境界をなすよう配置し、
ｃ）前記横方向接続部（２３’）の反対側の側面部において、前記支持要素（２０’）を、例えば円形断面を有する直線状の棒状部分の形状で固定し、
ｄ）前記挿入部（２１’）間の間隔を、前記小室（１０）を画成する前記格子領域（１）の垂直ウェブのパターンと相補的に形成した
ことを特徴とする請求項１又は２に記載の懸架装置。
【請求項８】
ａ）前記格子領域（１）を、土台上に載置された台座（９０）及び／又は当該格子領域（１）を包囲するフレーム（９１）を備えることが可能な支持構造体（９）において配置するか、又は
ｂ）カバー取付及び／又は壁面取付のために、前記格子領域（１）を、空間とは反対側の後側（１９）において支持枠（９２）を備える構成とし、該支持枠を、カバーにおける懸架部及び／又は背面のスペーサとしての機能を果たすよう構成した
ことを特徴とする請求項１〜７のうち少なくともいずれかに記載の懸架装置。
【請求項９】
ａ）前記格子領域（１）を背板（９９）に固定するために、特に一部材から成る支持部材（３）を設け、
ｂ）該支持部材（３）を、湾曲部から延在する凹部（３１）及び互いに離間するよう拡開する２つの翼部（３５）を備えた、狭いＵ字状に湾曲された挟着部（３０）で構成し、前記翼部（３５）を、前記挟着部（３０）の端部に配置するとともに当接フランジを形成するよう構成し、
ｃ）前記両翼部（３５）間に前記湾曲部まで延在する間隙（３２）を開口させ、
ｄ）前記各翼部（３５）に特に前記背板（９９）への螺着のための孔（３６）を設け、
ｅ）前記挟着部（３０）から前記各翼部（３５）への移行部近傍に、内側へ湾曲した保安部材（３３）を設け、
ｆ）取り付けられた状態において、前記支持部材（３）を前記前側（１８）から前記垂直ウェブ（１２）へ取り付け、これにより、該垂直ウェブが前記間隙（３２）において収容されるとともに、前記背板（９９）において固定された前記翼部が間隔をもって前記後側へ位置するよう構成し、
ｇ）前記格子領域（１）の後側（１９）と前記背板（９９）の間の間隔により、後ろから係合する懸架された前記メイン支持部材（２，２’）の前記かぎ状部（２１４，２１４’）のための自由空間を形成し、
ｈ）前記保安部材（３３）を、前記後側（１９）において前記支持部材（３）で包囲される前記垂直ウェブ（１２）に対して反発するよう構成するとともに、これにより、前記格子領域（１）の前記背板（９９）方向への変位に対する抵抗爪として作用するよう構成し、
ｉ）前記支持部材（３）における前記凹部（３１）を、前記メイン支持部材（２）の隣接する前記小室（１０）への懸架時に前記挟着部（２１９）の、前記支持部材（３）を備えた前記垂直ウェブ（１２）の内面部への案内が可能となるよう構成した
ことを特徴とする請求項１〜７のうち少なくともいずれかに記載の懸架装置。
【請求項１０】
前記メイン支持部材（２，２’）を、ディスプレイすべき対象物の直接の懸架の他、例えば書棚の板、格子ぶた、容器などの形態の保管場所の保持にも使用可能とし、このような保管場所を二次支持部材としての役割を果たすとともに位置している対象物のディスプレイの役割も果たすよう構成したことを特徴とする請求項１〜９のうち少なくともいずれかに記載の懸架装置。
【発明の詳細な説明】
【技術分野】
【０００１】
本発明は対象物のディスプレイのための懸架装置に関するものであり、該懸架装置は、格子領域として、挿入収容部としての複数の小室を備えたものに基づくものであり、この挿入収容部においては、前側と後側がある。格子領域における選択された小室への着脱可能な懸架のために、上方へ傾斜したかぎ状部が設けられており、このかぎ状部は、選択された小室を上方へ画成する水平ウェブの後ろからの係合のために設定されている。１つ又は複数のメイン支持部材は、二次支持部材を支持することができるようになっている。このような懸架装置は、店頭における典型的な備品である。
【背景技術】
【０００２】
特許文献１には対象物のディスプレイのための懸架装置が開示されており、この懸架装置は、前側と後側を有する挿入収容部を備えている。メイン支持部材は挿入部を備えており、この挿入部は、挿入収容部への着脱可能な懸架のために設けられている。また、挿入部は上方へ傾斜したかぎ状部を備えており、このかぎ状部は、挿入収容部に配置された相対するかぎ状部と協働するよう設定されている。さらに、挿入部はストッパ部を備えており、このストッパ部は、取り付けられた状態で、挿入収容部の前側で支持されている。挿入収容部は、前側に開口した複数の小室を有する格子領域として形成されているとともに、水平ウェブと垂直ウェブによって包囲されている。
【０００３】
前記相対するかぎ状部はそれぞれ該当する小室に割り当てられた水平ウェブによって形成されており、この水平ウェブは、かぎ状部により後ろから係合されるようになっている。また、小室は、水平方向の行と垂直方向の列によって画成されて配置されているとともに、格子領域の後側に開口されている。水平ウェブ及び垂直ウェブは、基本的に四角形、好ましくは正方形の開口部を前側と後側の間で包囲している。格子領域における水平ウェブ及び垂直ウェブは、その外縁部においてその半分の長さにわたって形成されている。これにより、隣接する格子領域の設置の際に、その外縁部において半分の長さにわたって形成された水平ウェブ及び垂直ウェブにおいて、結合された完全な小室が形成される。また、格子領域は後側に突起部を備えており、この突起部は、取付部材の固定又は支持構造体への直接の固定のため、及び支持構造体に対するスペーサとして機能するものである。このような懸架装置においては、支持部材の格子領域への挿入は前側からのみできるよう設定されており、挿入部は比較的複雑な構造となっているとともに、支持部材については１つの形態のみが使用できるようになっている。
【先行技術文献】
【特許文献】
【０００４】
【特許文献１】国際公開第２００９／０７３９９０号
【発明の概要】
【発明が解決しようとする課題】
【０００５】
本発明は上記従来技術に関連したものであり、その目的とするところは、格子領域の両側からメイン支持部材の懸架を行うことが可能な冒頭に記載したような懸架装置を提供することにある。
【０００６】
また、本発明の他の目的は、製造コストを低減するために、挿入部をその構造についてできる限り簡易にすることである。
【０００７】
さらに、本発明の他の目的は、格子領域の取付バリエーションを広げるために、格子領域に懸架された支持部材を複数の形態とすることができるようにすることにある。
【０００８】
本発明の最後の目的は、格子領域を自由にするか、又は背面において取り付けるか、若しくは懸架するために、構造手段を提供することにある。
【課題を解決するための手段】
【０００９】
対象物のディスプレイのための懸架装置は、まず、それぞれ２つの水平ウェブと２つの垂直ウェブによって包囲されつつシステマティックに配置された複数の小室を備えた格子領域を有し、前記小室が前側と後側に開放されている。さらに、前記小室のうち選択されたものへの着脱可能な懸架について用いられる少なくとも１つの挿入部を備えたメイン支持部材が懸架装置に設けられている。また、前記挿入部が上側へ傾斜したかぎ状部を有し、該かぎ状部が、懸架された状態において前記選択された小室を上方へ画成する前記水平ウェブへ後ろから係合している。また、前記挿入部が下側ストッパ部を備え、該下側ストッパ部が、懸架された状態において前記選択された小室を上方に画成する前記水平ウェブにおいて支持されている。そして、前記かぎ状部から上方へ突出する端面を備えた少なくとも１つの葉状の側部が前記挿入部に設けられている。前記下側ストッパ部が前記側部の下側へ配置されている。さらに、前記選択された小室において、前記格子領域の前記前側から案内された前記メイン支持部材の少なくとも１つの前記側部が懸架可能に構成され、同時に、前記後側から案内された前記メイン支持部材の少なくとも１つの前記側部が懸架可能に構成されている。
【００１０】
以下に、懸架装置の特別な実施形態について記載する。上側の凹部を、少なくとも１つの前記側部の上縁部に配置し、前記かぎ状部と境界をなすようにするとともに上側ストッパ部において終端となるよう構成し、前記上側の凹部の大きさを、該凹部内で前記前側と前記後側の間に位置する前記水平ウェブの深さを収容するよう設定している。また、前記端面と前記下側ストッパ部の間に、傾斜及び／又は丸められた下縁部を配置している。さらに、これに代えて、前記端面の下端部により画成された下側凹部が前記下側ストッパ部と境界をなすよう構成し、該下側凹部の大きさを、該下側凹部内で前記前側と前記後側の間に位置する前記水平ウェブの深さを収容するよう設定している。
【００１１】
また、第１の形態によるメイン支持部材の前記挿入部を、互いに平行に離間しつつ一致した輪郭を有する２つの前記側部を有するよう構成し、該側部を、中央ウェブにより、Ｕ字状かつ一体的に互いに結合させている。また、前記両側部の間に複数方向に開口した中間空間を配置した。さらに、前記両側部のうちいずれかとは反対側の前記中央ウェブの外側と境界をなすよう第２の端部を有する支持要素を配置するとともに、該支持要素を第１の端部まで延在させた。
【００１２】
また、前記選択された小室へ前記前側及び前記後側から懸架されたそれぞれ１つの前記挿入部が懸架され、
ａ）前記両挿入部のそれぞれの前記各側部を、それぞれ隣接する前記垂直ウェブへ接触させるとともに、他の側部を、上記各側部の内側に接触させ、このとき、対向する前記挿入部の前記中間空間へ突出するよう構成し、
ｂ）前記両メイン支持部材の前記両挿入部の、フォーク状にずらして互いに係合する４つの前記側部により、前記挿入部を、基本的に側部の隙間を形成することなく前記小室で収容するよう構成し、
ｃ）前記前側から懸架された前記メイン支持部材に割り当てられた前記かぎ状部の対を、前記小室を上方へ画成する前記後側における前記水平ウェブへ後ろから係合させ、
ｄ）これと同様に、前記後側から懸架された前記メイン支持部材に割り当てられた前記かぎ状部の対を、前記前側における同様の前記水平ウェブへ後ろから係合させ、
ｅ）前記中央ウェブの内面部を、間隙をあけつつ前記格子領域の前記前側あるいは前記後側の手前に配置し、これにより、内側に配置された前記側部の前記かぎ状部に対する中間空間を維持するよう構成した。
【００１３】
また、前記メイン支持部材のみの前記選択された小室への前側又は後側からの懸架に対して、前記側部を、前記小室で懸架された前記挿入部の側方の間隙を減少させるよう、各外側において突出した挟着部を有するよう構成した。
【００１４】
また、第２のメイン支持部材を、それぞれ１つのみの側部、靴型状の横方向接続部材及び該横方向接続部材から突出した複数の支持要素を備えた少なくとも２つの前記挿入部で構成した。そして、前記挿入部を、直接又は該挿入部に接続された延長部により、前記横方向部材の側面部と境界をなすよう配置した。さらに、前記横方向接続部の反対側の側面部において、前記支持要素を、例えば円形断面を有する直線状の棒状部分の形状で固定した。そして、前記挿入部間の間隔を、前記小室を画成する前記格子領域の垂直ウェブのパターンと相補的に形成した。
【００１５】
また、前記格子領域を、土台上に載置された台座及び／又は当該格子領域を包囲するフレームを備えることが可能な支持構造体において配置するか、又はカバー取付及び／又は壁面取付のために、前記格子領域を、空間とは反対側の後側において支持枠を備える構成とし、該支持枠を、カバーにおける懸架部及び／又は背面のスペーサとしての機能を果たすよう構成した。
【００１６】
前記格子領域を背板に固定するために、特に一部材から成る支持部材を設けた。また、該支持部材を、湾曲部から延在する凹部及び互いに離間するよう拡開する２つの翼部を備えた、狭いＵ字状に湾曲された挟着部で構成し、前記翼部を、前記挟着部の端部に配置するとともに当接フランジを形成するよう構成した。さらに、前記両翼部間に前記湾曲部まで延在する間隙を開口させた。
【００１７】
また、前記各翼部に特に前記背板への螺着のための孔を設けた。前記挟着部から前記各翼部への移行部近傍に、内側へ湾曲した保安部材を設けた。また、取り付けられた状態において、前記支持部材を前記前側から前記垂直ウェブへ取り付け、これにより、該垂直ウェブが前記間隙において収容されるとともに、前記背板において固定された前記翼部が間隔をもって前記後側へ位置するよう構成した。さらに、前記格子領域の後側と前記背板の間の間隔により、後ろから係合する懸架された前記メイン支持部材の前記かぎ状部のための自由空間を形成した。そして、前記保安部材を、前記後側において前記支持部材で包囲される前記垂直ウェブに対して反発するよう構成するとともに、これにより、前記格子領域の前記背板方向への変位に対する抵抗爪として作用するよう構成した。さらに、前記支持部材における前記凹部を、前記メイン支持部材の隣接する前記小室への懸架時に前記挟着部の、前記支持部材を備えた前記垂直ウェブの内面部への案内が可能となるよう構成した。
【００１８】
また、両形態によるメイン支持部材を、ディスプレイすべき対象物の直接の懸架の他、例えば書棚の板、格子ぶた、容器などの形態の保管場所の保持にも使用可能とし、このような保管場所を二次支持部材としての役割を果たすとともに位置している対象物のディスプレイの役割も果たすよう構成した。
【発明の効果】
【００１９】
本発明によれば、格子領域の両側からメイン支持部材の懸架を行うことが可能な冒頭に記載したような懸架装置を提供することが可能である。
【００２０】
また、製造コストを低減するために、挿入部をその構造についてできる限り簡易にすることも可能である。
【００２１】
さらに、格子領域の取付バリエーションを広げるために、格子領域に懸架された支持部材を複数の形態とすることができる。
【００２２】
最後に、格子領域を自由にするか、又は背面において取り付けるか、若しくは懸架するために、構造手段を提供することが可能である。
【図面の簡単な説明】
【００２３】
【図１】本発明による懸架装置に取り付けられた格子領域の一部の斜視図である。
【図２Ａ】第１の形態によるメイン支持部材の斜視図である。
【図２Ｂ】図２Ａに基づくメイン支持部材の側面図である。
【図２Ｃ】図２ＡにおけるＸ１部分の拡大図である。
【図２Ｄ】図２ＢにおけるＸ２部分の拡大図である。
【図２Ｅ】側部における挟着部のない図２Ａに基づくメイン支持部材の変更された斜視図である。
【図３Ａ】変更した形態における第１の形態によるメイン支持部材の斜視図である。
【図３Ｂ】図３Ａに基づくメイン支持部材の側面図である。
【図３Ｃ】図３ＡにおけるＸ３部分の拡大図である。
【図４Ａ】複数の挿入部、横方向接続部材及び複数の支持要素と共に示す第２の形態による複雑に構成されたメイン支持部材の斜視図である。
【図４Ｂ】図４ＡにおけるＸ４部分の拡大図である。
【図４Ｃ】挿入部における配置部分と共に示す図４Ａに基づくメイン支持部材の変更された斜視図である。
【図４Ｄ】図４ＣにおけるＸ５部分の拡大図である。
【図５Ａ】図２Ａに基づく懸架されたメイン支持部材を備えた図１に基づく格子領域部分の正面図である。
【図５Ｂ】図５Ａに基づく構造の側面図である。
【図５Ｃ】図５ＡにおけるＸ６部分の拡大図である。
【図５Ｄ】図５ＢにおけるＸ７部分の拡大図である。
【図６Ａ】図２Ｅに基づく懸架されたメイン支持部材の両側部の小室を備えた図１に基づく格子領域部分の斜視図である。
【図６Ｂ】図６Ａに基づく構造の小室に取り付けられた状態における平面図である。
【図７Ａ】懸架された状態における図３Ａに基づく変更された第１の形態によるメイン支持部材と、部分的に懸架された状態における同様のメイン支持部材とを備えた図１に基づく格子領域をフレームと共に示す図である。
【図７Ｂ】図７Ａに基づくメイン支持部材の側面図である。
【図７Ｃ】図７ＢにおけるＸ８部分の拡大図である。
【図７Ｄ】図７ＢにおけるＸ９部分の拡大図である。
【図８Ａ】台座及びフレームから成る支持構造体に設置され、図４Ａ及び図４Ｂに基づく第２の形態による両側部から近づけられるメイン支持部材と共に示す図１に基づく格子領域の斜視図である。
【図８Ｂ】格子領域に懸架されたメイン支持部材を備えた図８Ａに基づく構造を示す変更された斜視図である。
【図８Ｃ】丸められた断面を有する図２Ａに基づく懸架された状態の第１の形態によるメイン支持部材を備えた図８Ｂに基づく構造の正面図である。
【図８Ｄ】図８Ｃに基づく構造の側面図である。
【図９】カバー取付及び／又は壁面取付のために背面側に設けられた台と共に示す図１に基づく格子領域の斜視図である。
【図１０Ａ】支持部材の斜視図である。
【図１０Ｂ】図１０Ａに基づく支持部材によって背面に固定された図１に基づく格子領域を示す斜視図である。
【図１０Ｃ】図１０Ｂに基づく構造の平面図である。
【発明を実施するための形態】
【００２４】
以下に本発明の実施の形態を添付図面に基づいて説明する。また、以下の説明に対して、以下のように取り決める。すなわち、図示を明確にするために図面中に符号が示されているものの以下の説明において直接説明されていない場合には、これについての上述又は以下の説明における言及に関連しているものとする。また、理解を容易にするために、他の図面において繰り返し説明される部材であることが明らかである場合には、これら他の図面における部材の繰返しの符号については多くの場合省略する。
【００２５】
＜図１＞
垂直方向平面内に配置された格子領域１は複数の小室１０から成る複数の水平方向の行と垂直方向の列を備えており、これら行及び列は、それぞれその上部及び下部が水平ウェブ１１によって包囲され、両側が垂直ウェブ１２によって包囲されている。格子領域１の前側１８及び後側１９に対して小室１０が開口しており、これら小室１０は、好ましくは正方形である四角形の形状となっている。特に、格子領域１は、例えば厚さ２．０ｍｍの薄板で形成されている。また、水平方向及び垂直方向の内のりの幅は例えば４８ｍｍであり、小室１０の深さは例えば２５ｍｍとなっている。
【００２６】
＜図２Ａ〜図２Ｅ＞
これらの図は第１の形態におけるメイン支持部材２に関するものであり、このメイン支持部材２は、棒状の支持要素２０と、この支持要素２０の第２の端部２０２に設けられたＵ字状の挿入部２１とで構成されている。支持要素２０の第１の端部２０１は、空間内に自由に突出している。また、第２の端部２０２は、直角かつ挿入部２１の中央ウェブ２１０の中央に設けられている。そして、中央ウェブ２１０の両側からそれぞれ１つの側部２１１が垂直に分岐しており、この側部２１１はその上縁部に凹部２１３を有しているため、中央ウェブ２１０の手前において上側ストッパ部２１５が形成されているとともに、端面２１２へ向けて所定の高さが設定されており、中央ウェブ２１０のこの高さにかぎ状部２１４が形成されている。
【００２７】
両側部２１１の間に３方向に開放された中間空間２１８が経営されている。また、端面２１２は、下縁部２１６へ移行し、下側ストッパ部２１７まで延在している。この下側ストッパ部２１７は、上側ストッパ部２１５と類似した形態で形成されているが、中央ウェブ２１０の平面からわずかに離間している。そのため、掛けられた状態においては、特に負荷がかかった場合に垂れ下がって見えるネガティブな印象を避けるために、支持要素２０が第１の端部２０１に向かって水平方向にわずかに上向きになっている。また、両側部２１１の間の中央部にはそれぞれ１つの球状に湾曲した挟着部２１９が設けられており、この挟着部２１９は、好ましくは側部２１１の内面部から押し出して形成されている。挿入部２１において挟着部２１９を備えた第１の形態におけるメイン支持部材２は、１つのみのメイン支持部材２が前側１８又は後側１９から小室１０へ挿入される場合に、もちいられるものとなっている（図５Ａ〜図５Ｄ参照）。
【００２８】
図２Ｅに基づく挿入部２１の形態においては、挟着部２１９が設けられていない。このメイン支持部材２は、１つのメイン支持部材２がそれぞれ前側１８及び後側１９から小室１０内へ挿入される場合に使用される。なお、メイン支持部材２の両側部２１１は、互い違いに係合するようになっている（図６Ａ及び図６Ｂ参照）。
【００２９】
＜図３Ａ〜図３Ｃ＞
これらの図面には第１の形態によるメイン支持部材が図２Ａ〜図２Ｅと類似して含まれているが、ここでは、挿入部２１が変更された形状を有している。上側の凹部２１３は大きく上側に側部２１１へ延在しているとともに、下縁部はかぎ状部２１４から下側へ傾斜して上側ストッパ部２１５へ延在している。さらに、下側凹部２１７”が下側ストッパ部２１７と境界をなしており、この下側凹部２１７”は、下から上へ突出する端面２１２とも境界をなしている。深く切り込まれた上側の凹部２１３及び特に下側凹部２１７”は、掛けられた状態において、格子領域１からの不意の脱落に対してより良い安全性を生じさせるものとなっている（図７Ａ〜図７Ｄ参照）。
【００３０】
＜図４Ａ及び図４Ｂ＞
複合的に構成された第２の形態によるメイン支持部材２’は、それぞれ１つのみの側部２１１’を備えた少なくとも２つの挿入部２１’と、靴型状の横方向接続部材２３’と、該横方向接続部材２３’から突き出た複数の支持要素２０’とによって構成されている。挿入部２１’は、これに続く延長部２２’なしに、横方向接続部材２３’の側面に直接直角に例えば溶接により取り付けられている。また、各挿入部２１’の間隔は、格子領域１の格子パターン基準に対して相補的となっている。反対側の横方向接続部材２３’の側面には、例えば円形断面を有する直線状の棒状部分の形態の支持要素２０’が固定されている。
【００３１】
＜図４Ｃ及び図４Ｄ＞
前述の各図とは異なり、第２の形態によるこの複合的に構成されたメイン支持部材２’は、横方向接続部材２３’に接続する延長部２２’と共に配置されている。延長部２２’の第１の端部２２１’が横方向接続部材２３’に固定されている一方、延長部２２’の第２の端部２２２’は一体的に挿入部２１’へ移行している。また、横方向接続部材２３’における反対側の側面からは、複数の支持要素２０’が延在している。両側部２１１’は、ここでも縁部としての端面２１２’と、かぎ状部２１４’及び上側ストッパ部２１５’を備えつつ上側縁部に位置する凹部２１３’とを有している。端面２１２’は下縁部２１６’へ移行しており、この下縁部２１６’は、下側ストッパ部２１７’まで延在している。これに代えて、挿入部２１’は、変更されている図３Ａ〜図３Ｃによる形態に類似して、傾斜又は丸くされた下縁部２１６’の代わりに下側ストッパ部２１７’において境界をなす下側凹部２１７”を備えることが可能である。
【００３２】
＜図５Ａ〜図５Ｄ＞
第１の形態によるメイン支持部材２を備えた小室１０の例えば前側１８又は後側１９からの取付時には、挟着部２１９を備えた図２Ａ〜図２Ｄに基づくメイン支持部材２が好まれる。また、懸吊過程の開始時には、上方へ傾斜した支持要素２０において、挿入部２１が小室１０内へ取り付けられる。このとき、上側ストッパ部２１５と共に該当する小室１０を上側で画成する水平ウェブ１１の端面部へ配置するのが最も機能的である。傾斜した下縁部２１６により、斜めの挿入が可能となる。ここで、かぎ状部２１４はすでに部分的に水平ウェブ１１の後方へ至っており、この水平ウェブ１１は、配置された小室１０を上方へカバーするものとなっている。しかしながら、この水平ウェブ１１は、かぎ状部２１４によって後部においてまだ係合していない。
【００３３】
支持要素２０の連続的な下方への傾斜により、中央ウェブ２１０が水平方向の平面内に位置し、かぎ状部２１４が後ろにおいて係合するとともに水平ウェブ１１から突出する。また、下側凹部２１７が下側の水平ウェブ１１へ載置されるとともに、該水平ウェブ１１は、配置された小室１０を下方へ境界をなす。外側へ湾曲した両挟着部２１９は、両側部２１１と境界をなす各垂直ウェブ１２との間に形成された間隙を１つずつふさぐものとなっている。そのため、挿入部２１は、心合わせされるとともに、側方においてできる限り隙間が生じないよう小室１０へ挿入される。下側ストッパ部２１７が下側の水平ウェブ１１の厚さを完全に覆う場合には、上側に位置する小室へ挿入されるべきメイン支持部材２に対して空間を設けるために、上側ストッパ部２１５は、上側の水平ウェブの厚さへ突出しないようになっている。下側ストッパ部２１７が下側の水平ウェブ１１の厚さを部分的にのみ覆う場合には、上側ストッパ部２１５は、これに応じて、部分的に上側の水平ウェブ１１の厚さへ突出することが可能である。挿入部２１の小室１０からの離間は、支持要素２０の傾斜した持ち上がりから始まり、戻るように生じる。
【００３４】
＜図６Ａ及び図６Ｂ＞
小室１０を各メイン支持部材２へ前側１８及び後側１９から取り付ける際には、図２Ｅに示すような挟着部２１９は用いられない。なお、懸吊過程は、上述の図面に示すものと同様である。また、掛けられた状態においては、各挿入部２１の側部２１１がそれぞれ隣接する水平ウェブ１２に配置されることになる。また、他の側部２１１は、それぞれ前述の側部２１１の内側へ配置されるとともに、対応して反対側に位置する挿入部２１の中間空間２１８へ突出する。フォーク状にずらして互いに係合するメイン支持部材２の両側における４つの側部２１１により、挿入部２１が、ほぼ側方の隙間なく、共通に配置された小室１０へ配置されることになる。前側１８から取り付けられたメイン支持部材２に属するかぎ状部２１４の対は、後側１９にいて上側へ境界をなす小室１０へ後ろから係合する。逆に、後側１９から取り付けられたメイン支持部材２に属するかぎ状部２１４の対は、前側１８において同じ水平ウェブに後ろ側から係合する。各中央ウェブ２１０の内面部は格子領域１の前側１８あるいは後側１９から離間して配置されているため、内部に位置する側部２１１のための各中間空間２１８が残されている。
【００３５】
＜図７Ａ〜図７Ｄ＞
図７Ａに完全に図示された、前側１８と後側１９を有する格子領域１は、四角形状の面を占めるとともに、フレーム９１によって縁取られている。その他は、ここでも２つの水平ウェブ１１で縁取られた水平方向の小室と、２つの垂直ウェブ１２で縁取られた垂直方向の列に配置された小室１０とで構成されている。外縁部における小室１０に対しては、周設されたフレーム９１によって各水平ウェブ１１及び垂直ウェブ１２が形成されている。
【００３６】
また、変更された形態における第１の形態による下側のメイン支持部材２（図３Ａ〜図３Ｃ参照）は、まず、部分的に懸吊された状態とされる（図７Ａ〜図７Ｃ参照）。挿入部２１は選択された小室１０において傾斜して掛けられ、小室１０は、当該小室１０の下部領域に配置されている。一方、突出したかぎ状部２１４は後側１９において上側の水平ウェブ１１に後ろから係合しており、この水平ウェブ１１は、現時点において上側の凹部２１３の深い位置にある。また、中央ウェブ２１０は選択された小室１０の手前において傾斜しているため、上側ストッパ部２１５が小室１０へ埋入されており、この小室１０は、前記選択された小室１０の上方に位置している。中央ウェブ２１０から突出する棒状の支持要素２０は、その第１の端部２０１において上方へ向けて空間内へ延在している。
【００３７】
あらかじめ部分的に懸けられた状態から水平及び下方への揺動により、上側のメイン支持部材２は、完全に懸吊された所定の状態へと至る。このとき、端面２１２は、かぎ状部２１４が上側の水平ウェブ１１に後ろから係合するとともに端面２１２の下端部が下側の水平ウェブ１１に後ろから係合する後側１９に全体として位置している。なお、下側の水平ウェブ１１上には下側凹部２１７”が載置されている。また、これと同時に、前側１８の下側ストッパ部２１７が下側の水平ウェブ１１に当接する。上側の凹部２１３においては、上側ストッパ部２１５が当接する上側の水平ウェブ１１が位置している。したがって、小室１０へ懸吊されたメイン支持部材２は、上方及び下方への当接が回避されるようになっている。また、メイン支持部材２を取り外すために、このメイン支持部材２は、まず上側へ持ち上げられ、これに伴い下側の水平ウェブ１１の下側ストッパ部２１７”との係合が解除される。そして、挿入部２１がほぼ小室１０から離脱するよう回転するよう、メイン支持部材２を持ち上げていくことにより揺動動作がなされる。
【００３８】
＜図８Ａ〜図８Ｄ＞
懸架装置の基本的な適用は、格子領域１を、土台上に載置された台座９０と、当該格子領域１を含むフレーム９１とを備えた支持構造体９に配置することである。このような台構造は、特に前側１８及び後側１９からの取付及びアクセス性に伴い、空間の中央における位置決めに対して適している。また、小室１０の取付のために、図２Ａ〜図２Ｅに基づく第１の形態によるメイン支持部材２と、図３Ａ〜図３Ｃによる変更されたものと、図４Ａ〜図４Ｄに基づく第２の形態によるメイン支持部材２’とを用いることができる。ここで、この第２の形態によるメイン支持部材２’を、その長さが格子領域１の幅に一致するようにすることが考えられる。好ましい取付組合せは、延長部２２’のない図４Ａによるメイン支持部材２’を挿入部２１’において小室１０のうち上側の行へ懸架するとともに、その下に、延長部２２’を有する図４Ｃによるメイン支持部材２’を挿入部２１’において小室１０のうち深い位置にある行へ懸架することである。これにより、下側のメイン支持部材２’の支持要素２０’が、上側のメイン支持部材２’の支持要素２０’に対して、空間内へ更に前へ配置された懸架平面を形成することになる。これに代えて、支持要素２０，２０’は、円形の断面から多角形状の断面とすることが可能である。小室１０の行及び／又は各小室１０においてメイン支持部材２，２’を有する取付形態は、懸架装置においてディスプレイされる対象物の大きさ及び展示品数に応じて決定される。
【００３９】
第１の形態による各メイン支持部材２、好ましくは少なくとも２つのこのように隣接して懸架されたメイン支持部材２及び第２の形態によるメイン支持部材２’は、ディスプレイされるべき対象物の直接の懸架の他、例えば書棚の板、格子ぶた、容器の形態などの保管場所の保持にも使用することが可能である。このような保管場所は、二次支持部材としての役割を果たすとともに、位置している対象物のディスプレイの役目も果たすものである。
【００４０】
＜図９＞
格子領域１はカバー取付及び／又は壁面取付のために、空間とは反対側の後側１９において支持枠９２を備えており、該支持枠９２は、カバーにおける懸架及び／又は背面のスペーサとして形成されている。比較的大きな格子領域１においては、１つの支持枠９２を下方領域に配置するとともに、他の支持枠９２を上方領域へ配置する。ここで、後側１９からのアクセス性が制限されていることにより、基本的に前側１８からのみメイン支持部材２，２’を取り付けることになる。
【００４１】
＜図１０Ａ〜図１０Ｃ＞
格子領域１の背板９９での固定のために、支持部材３が用いられる。好ましくは一部材である支持部材３は、湾曲部から延在する凹部３１を有する狭いＵ字状に湾曲された１つの挟着部３０と、互いに拡開する２つの翼部３５とで構成されており、これら翼部３５は、挟着部３０の両端部に配置されているとともに当接フランジを形成している。また、これら翼部３５の間には湾曲部まで延在する間隙３２が開口している。各翼部３５には、それぞれ１つの孔３６が特に螺着のために背板９９に設けられている。さらに、挟着部３０から翼部３５への移行部の近傍には、内側へ向いた舌状の保安部材３３が設けられている。
【００４２】
取り付けられた状態において、支持部材３は前側１８から垂直ウェブ１２へ取り付けられているため、この垂直ウェブ１２が間隙３２に配置されているとともに、背板９９に取り付けられた翼部３５が間隔をあけつつ後側１９へ配置されるようになっている。格子領域１の後側１９と背板９９の間には、後ろへ係合する懸架されたメイン支持部材２，２’のかぎ状部２１４，２１４’のための自由空間が形成されている。また、保安部材３３は、後側１９において、支持部材３により包囲された垂直ウェブ１２に反発するとともに、これにより、格子領域１の背板９９方向への変位に対する抵抗爪として作用する。また、支持部材３における凹部３１により、メイン支持部材２の隣接する小室１０への懸架時に、支持部材３を備えた垂直ウェブ１２の内面部への挟着部２１９の手前側への案内が可能となる。
【符号の説明】
【００４３】
１                格子領域
２，２’          メイン支持部材
３                支持部材
９                支持構造体
１０              小室
１１              水平ウェブ
１２              垂直ウェブ
１８              前側
１９              後側
２０，２０’      支持要素
２１，２１’      挿入部
２２’            延長部
２３’            横方向接続部材
３０              挟着部
３１              凹部
３２              間隙
３３              保安部材
３５              翼部
３６              孔
９０              台座
９１              フレーム
９２              支持枠
９９              背板
２０１            第１の端部
２０２            第２の端部
２１０            中央ウェブ
２１１，２１１’  側部
２１２，２１２’  端面
２１３，２１３’  凹部
２１４，２１４’  かぎ状部
２１５，２１５’  上側ストッパ部
２１６，２１６’  下縁部
２１７，２１７’  下側ストッパ部
２１７”          下側凹部
２１８            中間空間
２１９            挟着部
２２１’          第１の端部
２２２’          第２の端部
【図１】
2013521078.tif 000003
【図２Ａ】
2013521078.tif 000004
【図２Ｂ】
2013521078.tif 000005
【図２Ｃ】
2013521078.tif 000006
【図２Ｄ】
2013521078.tif 000007
【図２Ｅ】
2013521078.tif 000008
【図３Ａ】
2013521078.tif 000009
【図３Ｂ】
2013521078.tif 000010
【図３Ｃ】
2013521078.tif 000011
【図４Ａ】
2013521078.tif 000012
【図４Ｂ】
2013521078.tif 000013
【図４Ｃ】
2013521078.tif 000014
【図４Ｄ】
2013521078.tif 000015
【図５Ａ】
2013521078.tif 000016
【図５Ｂ】
2013521078.tif 000017
【図５Ｃ】
2013521078.tif 000018
【図５Ｄ】
2013521078.tif 000019
【図６Ａ】
2013521078.tif 000020
【図６Ｂ】
2013521078.tif 000021
【図７Ａ】
2013521078.tif 000022
【図７Ｂ】
2013521078.tif 000023
【図７Ｃ】
2013521078.tif 000024
【図７Ｄ】
2013521078.tif 000025
【図８Ａ】
2013521078.tif 000026
【図８Ｂ】
2013521078.tif 000027
【図８Ｃ】
2013521078.tif 000028
【図８Ｄ】
2013521078.tif 000029
【図９】
2013521078.tif 000030
【図１０Ａ】
2013521078.tif 000031
【図１０Ｂ】
2013521078.tif 000032
【図１０Ｃ】
2013521078.tif 000033
【国際調査報告】
2013521078.tif 000034
2013521078.tif 000035
2013521078.tif 000036
2013521078.tif 000037